(57)【要約】【課題】画質調整パラメータの所望の値を容易に得ることができる技術を提供する。【解決手段】本発明のパラメータ調整装置は、第１画質調整パラメータの値を設定する第１設定手段と、第２画質調整パラメータの値を設定する第２設定手段と、第１決定モードと第２決定モードを含む複数の決定モードのうちのいずれかを設定するモード設定手段と、第３画質調整パラメータの値を画像データ用の値として決定する決定手段と、を有し、決定手段は、第１決定モードが設定されている場合に、第１画質調整パラメータの設定値と第２画質調整パラメータの設定値とを合成した第３画質調整パラメータの値を、画像データ用の値として決定し、第２決定モードが設定されている場合に、第１画質調整パラメータの設定値から得られた第３画質調整パラメータの値を、画像データ用の値として決定する。【選択図】図１
2015139044.tif 000002
【特許請求の範囲】
【請求項１】
第１画質調整パラメータの値を設定する第１設定手段と、
第２画質調整パラメータの値を設定する第２設定手段と、
第１決定モードと第２決定モードを含む複数の決定モードのうちのいずれかを設定するモード設定手段と、
第３画質調整パラメータの値を画質調整の対象である画像データ用の値として決定する決定手段と、
を有し、
前記決定手段は、
前記第１決定モードが設定されている場合に、前記第１画質調整パラメータの設定値と前記第２画質調整パラメータの設定値とを合成した前記第３画質調整パラメータの値を、前記画像データ用の値として決定し、
前記第２決定モードが設定されている場合に、前記第１画質調整パラメータの設定値から得られた前記第３画質調整パラメータの値を、前記画像データ用の値として決定することを特徴とするパラメータ調整装置。
【請求項２】
前記画像データは表示装置に表示される画像データであり、
前記表示装置に複数の画像データが並べて表示される場合に、
前記モード設定手段は、前記画像データ毎に、決定モードを設定し、
前記決定手段は、前記画像データ毎に、その画像データ用の前記第３画質調整パラメータの値を決定する
ことを特徴とする請求項１に記載のパラメータ調整装置。
【請求項３】
第４画質調整パラメータの値を設定可能な外部装置から前記第４画質調整パラメータの設定値を取得する取得手段をさらに有し、
前記決定手段は、前記第１決定モードが設定されている場合に、前記第１画質調整パラメータの設定値、前記第２画質調整パラメータの設定値、及び、前記第４画質調整パラメータの設定値を合成した前記第３画質調整パラメータの値を、前記画像データ用の値として決定する
ことを特徴とする請求項１または２に記載のパラメータ調整装置。
【請求項４】
前記複数の決定モードは第３決定モードを含み、
前記決定手段は、前記第３決定モードが設定されている場合に、前記第２画質調整パラメータの設定値から得られた前記第３画質調整パラメータの値を、前記画像データ用の値として決定する
ことを特徴とする請求項１〜３のいずれか１項に記載のパラメータ調整装置。
【請求項５】
前記第３画質調整パラメータは、前記第１画質調整パラメータと同じパラメータであることを特徴とする請求項１〜４のいずれか１項に記載のパラメータ調整装置。
【請求項６】
前記第１画質調整パラメータは、ＣＤＬで定義されたＳｌｏｐｅ、Ｏｆｆｓｅｔ、及び、Ｐｏｗｅｒである
ことを特徴とする請求項１〜５のいずれか１項に記載のパラメータ調整装置。
【請求項７】
第１画質調整パラメータの値を設定する第１設定手段と、
第２画質調整パラメータの値を設定する第２設定手段と、
第２決定モードと第３決定モードを含む複数の決定モードのうちのいずれかを設定するモード設定手段をさらに有し、
第３画質調整パラメータの値を画質調整の対象である画像データ用の値として決定する
決定手段と、
を有し、
前記決定手段は、
前記第２決定モードが設定されている場合に、前記第１画質調整パラメータの設定値から得られた前記第３画質調整パラメータの値を、前記画像データ用の値として決定し、
前記第３決定モードが設定されている場合に、前記第２画質調整パラメータの設定値から得られた前記第３画質調整パラメータの値を、前記画像データ用の値として決定することを特徴とするパラメータ調整装置。
【請求項８】
第１画質調整パラメータの値を設定する第１設定ステップと、
第２画質調整パラメータの値を設定する第２設定ステップと、
第１決定モードと第２決定モードを含む複数の決定モードのうちのいずれかを設定するモード設定ステップと、
第３画質調整パラメータの値を画質調整の対象である画像データ用の値として決定する決定ステップと、
を有し、
前記決定ステップでは、
前記第１決定モードが設定されている場合に、前記第１画質調整パラメータの設定値と前記第２画質調整パラメータの設定値とを合成した前記第３画質調整パラメータの値を、前記画像データ用の値として決定し、
前記第２決定モードが設定されている場合に、前記第１画質調整パラメータの設定値から得られた前記第３画質調整パラメータの値を、前記画像データ用の値として決定することを特徴とするパラメータ調整方法。
【請求項９】
前記画像データは表示装置に表示される画像データであり、
前記表示装置に複数の画像データが並べて表示される場合に、
前記モード設定ステップでは、前記画像データ毎に、決定モードを設定し、
前記決定ステップでは、前記画像データ毎に、その画像データ用の前記第３画質調整パラメータの値を決定する
ことを特徴とする請求項８に記載のパラメータ調整方法。
【請求項１０】
第４画質調整パラメータの値を設定可能な外部装置から前記第４画質調整パラメータの設定値を取得する取得ステップをさらに有し、
前記決定ステップでは、前記第１決定モードが設定されている場合に、前記第１画質調整パラメータの設定値、前記第２画質調整パラメータの設定値、及び、前記第４画質調整パラメータの設定値を合成した前記第３画質調整パラメータの値を、前記画像データ用の値として決定する
ことを特徴とする請求項８または９に記載のパラメータ調整方法。
【請求項１１】
前記複数の決定モードは第３決定モードを含み、
前記決定ステップでは、前記第３決定モードが設定されている場合に、前記第２画質調整パラメータの設定値から得られた前記第３画質調整パラメータの値を、前記画像データ用の値として決定する
ことを特徴とする請求項８〜１０のいずれか１項に記載のパラメータ調整方法。
【請求項１２】
前記第３画質調整パラメータは、前記第１画質調整パラメータと同じパラメータであることを特徴とする請求項８〜１１のいずれか１項に記載のパラメータ調整方法。
【請求項１３】
前記第１画質調整パラメータは、ＣＤＬで定義されたＳｌｏｐｅ、Ｏｆｆｓｅｔ、及び、Ｐｏｗｅｒである
ことを特徴とする請求項８〜１２のいずれか１項に記載のパラメータ調整方法。
【請求項１４】
第１画質調整パラメータの値を設定する第１設定ステップと、
第２画質調整パラメータの値を設定する第２設定ステップと、
第２決定モードと第３決定モードを含む複数の決定モードのうちのいずれかを設定するモード設定ステップをさらに有し、
第３画質調整パラメータの値を画質調整の対象である画像データ用の値として決定する決定ステップと、
を有し、
前記決定ステップでは、
前記第２決定モードが設定されている場合に、前記第１画質調整パラメータの設定値から得られた前記第３画質調整パラメータの値を、前記画像データ用の値として決定し、
前記第３決定モードが設定されている場合に、前記第２画質調整パラメータの設定値から得られた前記第３画質調整パラメータの値を、前記画像データ用の値として決定することを特徴とするパラメータ調整方法。
【請求項１５】
請求項８〜１４のいずれか１項に記載のパラメータ調整方法の各ステップをコンピュータに実行させることを特徴とするプログラム。
【発明の詳細な説明】
【技術分野】
【０００１】
本発明は、パラメータ調整装置、パラメータ調整方法、及び、プログラムに関する。
【背景技術】
【０００２】
近年、画像制作ワークフローにおいて、前工程での画質調整の結果を後工程へ伝えるために、画像データに対する画質調整の結果を示す画質調整情報（画質調整情報を含むファイル）が利用されている。前工程は、例えば撮影工程などである。後工程は、例えばポストプロダクションで行われる工程などである。
【０００３】
画質調整情報のフォーマットとして、ＡＳＣ（Ａｍｅｒｉｃａｎ  Ｓｏｃｉｅｔｙ  ｏｆ  Ｃｉｎｅｍａｔｏｇｒａｐｈｅｒｓ）によって定義されたＣＤＬ（Ｃｏｌｏｒ  Ｄｅｃｉｓｉｏｎ  Ｌｉｓｔ）がある。ＣＤＬでは、画質調整パラメータとして、「Ｓｌｏｐｅ」、「Ｏｆｆｓｅｔ」、「Ｐｏｗｅｒ」、及び、「Ｓａｔｕｒａｔｉｏｎ」が定義されている。以後、ＣＤＬで定義されたパラメータを「ＣＤＬパラメータ」と記載する。
「Ｓｌｏｐｅ」、「Ｏｆｆｓｅｔ」、「Ｐｏｗｅｒ」、及び、「Ｓａｔｕｒａｔｉｏｎ」の値は、画像データのＲ値、Ｇ値、及び、Ｂ値のそれぞれに対して設定される。即ち、Ｒ値用の「Ｓｌｏｐｅ」、「Ｏｆｆｓｅｔ」、「Ｐｏｗｅｒ」、及び、「Ｓａｔｕｒａｔｉｏｎ」の値が設定される。Ｇ値用の「Ｓｌｏｐｅ」、「Ｏｆｆｓｅｔ」、「Ｐｏｗｅｒ」、及び、「Ｓａｔｕｒａｔｉｏｎ」の値が設定される。そして、Ｂ値用の「Ｓｌｏｐｅ」、「Ｏｆｆｓｅｔ」、「Ｐｏｗｅｒ」、及び、「Ｓａｔｕｒａｔｉｏｎ」の値が設定される。
「Ｓｌｏｐｅ」は、調整前の値（Ｒ値、Ｇ値、及び、Ｂ値）の変化に対する調整後の値の変化の傾きを変更するパラメータである。具体的には、「Ｓｌｏｐｅ」は、調整前の値が最小レベルのときの調整後の値を維持したまま当該傾きを変更するパラメータである。「最小レベル」は「黒レベル」ということもできる。「Ｓｌｏｐｅ」の値は、調整前の値に乗算するゲイン値に対応する。
「Ｏｆｆｓｅｔ」は、調整前の値の変化に対する調整後の値の変化の仕方を維持したまま、調整後の値の大きさを変更するパラメータである。「Ｏｆｆｓｅｔ」の値は、調整前の値に加減算するオフセット値に対応する。
「Ｐｏｗｅｒ」は、調整前の値の変化に対する調整後の値の変化の仕方を変更するパラメータである。具体的には、「Ｐｏｗｅｒ」は、調整前の値が最小レベルのときの調整後の値と、調整前の値が最大レベルのときの調整後の値と、を維持したまま、調整前の値が中間レベルのときの調整後の値を変更するパラメータである。「最大レベル」は「白レベル」ということもできる。中間レベルは、最小レベルと最大レベルの間のレベルである。「Ｐｏｗｅｒ」の値は、調整前の値にガンマ変換を施す際のガンマ値に対応する。
「Ｓａｔｕｒａｔｉｏｎ」は、調整前のクロマ信号の値の変化に対する調整後の値の変化の傾きを変更するパラメータである。「Ｓａｔｕｒａｔｉｏｎ」の値は、画像信号中のクロマ信号に乗算するクロマゲイン値に対応する。
【０００４】
このようなＣＤＬの画質調整情報は、撮影監督や画像編集者が表示画像（表示装置の画面に表示された画像）を目視で確認しながらＣＤＬパラメータの値を調整することで生成される。そして、生成された画質調整情報は、例えば、後工程の画像処理で使用される。ＣＤＬの画質調整情報は、画質調整の結果としてＣＤＬパラメータの値を含むＣＤＬデータである。以後、ＣＤＬパラメータの値の調整を「ＣＤＬ調整」と記載する。
【０００５】
ところで、画質調整パラメータには、ＣＤＬパラメータ以外のパラメータもある。例えば、従来から表示装置において利用されている画質調整パラメータとして、「ブライトネ
ス」、「コントラスト」、「クロマ」、「シャープネス」などがある。
「ブライトネス」は、画面全体の明るさを変更するパラメータである。「ブライトネス」の値を調整することで、暗い画素を高い再現度合いで表示することができる。また、暗部に含まれる影、輪郭、などのディテールを見やすくしたりすることができる。
「コントラスト」は、画面の明暗の差を変更するパラメータである。「コントラスト」の値を調整することで、ハイライト部分を高い再現度合いで表示することができる。
「シャープネス」は、輪郭の強調度合いを変更したり、ディテールの再現度合いを変更したりするパラメータである。表示画像の周波数特性の中高域が強調されるように「シャープネス」の値を調整することにより、ディテールを高い再現度合いで表示することができる。
「クロマ」は、画面の色合いを変更するパラメータである。「クロマ」の値を調整することで、自然な色味の表示画像を得ることができる。
以後、「ブライトネス」、「コントラスト」、「クロマ」、及び、「シャープネス」を「ユーザパラメータ」と記載し、ユーザパラメータの値の調整を「ユーザ調整」と記載する。
【０００６】
また、画質調整に関する従来技術として、特許文献１に開示の技術がある。特許文献１には、画質調整前の画像と画質調整後の画像を並べて表示するマルチ表示を行う表示装置が開示されている。
【先行技術文献】
【特許文献】
【０００７】
【特許文献１】特開２００２−２１８３５０号公報
【発明の概要】
【発明が解決しようとする課題】
【０００８】
ここで、後処理に結果を伝えるべきでない画質調整が行われることがある。例えば、昼光下等の明るい照明環境下では暗部が見難くなることがあるため、画質調整時の照明環境に応じた画質調整が行われることがある。このような画質調整（画質調整時の照明環境等に応じて行われた画質調整）は一時的なものであるため、後工程に伝えるべきではない。
【０００９】
しかしながら、従来の技術においては、一時的な画質調整を含む画質調整の結果を示す画質調整情報が生成されてしまう。そのため、従来の技術においては、所望の結果（一時的な画質調整を含まない画質調整の結果）を示す画質調整情報を容易に得ることができない。具体的には、所望の結果を示す画質調整情報を得るためには一時的な画質調整をキャンセルする画質調整を行わなければならないため、所望の結果を示す画質調整情報（画質調整パラメータの所望の値）を容易に得ることはできない。
【００１０】
例えば、ＣＤＬ調整のみを実行可能な従来の装置においては、一時的な画質調整としてＣＤＬ調整が行われ、一時的なＣＤＬ調整を含むＣＤＬ調整の結果を示すＣＤＬデータが画質調整情報として生成されてしまう。そのため、ＣＤＬ調整のみを実行可能な従来の装置においては、所望の結果を示すＣＤＬデータを容易に得ることができない。具体的には、所望の結果を示すＣＤＬデータを得るためには一時的なＣＤＬ調整をキャンセルするＣＤＬ調整を行わなければならないため、所望の結果を示すＣＤＬデータを容易に得ることはできない。
【００１１】
ＣＤＬ調整とユーザ調整を実行可能な従来の装置においては、一時的な画質調整を他の画質調整と区別して行うことができる。例えば、後処理に結果を伝えるべき画質調整としてＣＤＬ調整を行い、一時的な画質調整としてユーザ調整を行うことができる。
しかしながら、ＣＤＬ調整とユーザ調整を実行可能な従来の装置においては、ＣＤＬ調
整とユーザ調整の両方の結果を示すＣＤＬデータが画質調整情報として生成されてしまう。そのため、ＣＤＬ調整とユーザ調整を実行可能な従来の装置においても、所望の結果を示すＣＤＬデータを容易に得ることはできない。具体的には、所望の結果を示すＣＤＬデータを得るためには一時的なユーザ調整をキャンセルする画質調整（ユーザ調整とＣＤＬ調整の少なくとも一方）を行わなければならないため、所望の結果を示すＣＤＬデータを容易に得ることはできない。
【００１２】
ここで、ＣＤＬ調整とユーザ調整を実行可能な従来の装置として、ＣＤＬ調整の結果のみを示すＣＤＬデータを画質調整情報として生成する装置が考えられる。しかしながら、一時的なものでないユーザ調整の結果は後工程に伝えるべきであると考えられる。そのため、そのような装置を用いたとしても、所望の結果を示すＣＤＬデータを容易に得ることはできない。具体的には、所望の結果を示すＣＤＬデータを得るためには一時的なものでないユーザ調整に相当するＣＤＬ調整を行わなければならないため、所望の結果を示すＣＤＬデータを容易に得ることはできない。
【００１３】
本発明は、画質調整パラメータの所望の値を容易に得ることができる技術を提供することを目的とする。
【課題を解決するための手段】
【００１４】
本発明の第１の態様は、
第１画質調整パラメータの値を設定する第１設定手段と、
第２画質調整パラメータの値を設定する第２設定手段と、
第１決定モードと第２決定モードを含む複数の決定モードのうちのいずれかを設定するモード設定手段と、
第３画質調整パラメータの値を画質調整の対象である画像データ用の値として決定する決定手段と、
を有し、
前記決定手段は、
前記第１決定モードが設定されている場合に、前記第１画質調整パラメータの設定値と前記第２画質調整パラメータの設定値とを合成した前記第３画質調整パラメータの値を、前記画像データ用の値として決定し、
前記第２決定モードが設定されている場合に、前記第１画質調整パラメータの設定値から得られた前記第３画質調整パラメータの値を、前記画像データ用の値として決定することを特徴とするパラメータ調整装置である。
【００１５】
本発明の第２の態様は、
第１画質調整パラメータの値を設定する第１設定手段と、
第２画質調整パラメータの値を設定する第２設定手段と、
第２決定モードと第３決定モードを含む複数の決定モードのうちのいずれかを設定するモード設定手段をさらに有し、
第３画質調整パラメータの値を画質調整の対象である画像データ用の値として決定する決定手段と、
を有し、
前記決定手段は、
前記第２決定モードが設定されている場合に、前記第１画質調整パラメータの設定値から得られた前記第３画質調整パラメータの値を、前記画像データ用の値として決定し、
前記第３決定モードが設定されている場合に、前記第２画質調整パラメータの設定値から得られた前記第３画質調整パラメータの値を、前記画像データ用の値として決定することを特徴とするパラメータ調整装置である。
【００１６】
本発明の第３の態様は、
第１画質調整パラメータの値を設定する第１設定ステップと、
第２画質調整パラメータの値を設定する第２設定ステップと、
第１決定モードと第２決定モードを含む複数の決定モードのうちのいずれかを設定するモード設定ステップと、
第３画質調整パラメータの値を画質調整の対象である画像データ用の値として決定する決定ステップと、
を有し、
前記決定ステップでは、
前記第１決定モードが設定されている場合に、前記第１画質調整パラメータの設定値と前記第２画質調整パラメータの設定値とを合成した前記第３画質調整パラメータの値を、前記画像データ用の値として決定し、
前記第２決定モードが設定されている場合に、前記第１画質調整パラメータの設定値から得られた前記第３画質調整パラメータの値を、前記画像データ用の値として決定することを特徴とするパラメータ調整方法である。
【００１７】
本発明の第４の態様は、
第１画質調整パラメータの値を設定する第１設定ステップと、
第２画質調整パラメータの値を設定する第２設定ステップと、
第２決定モードと第３決定モードを含む複数の決定モードのうちのいずれかを設定するモード設定ステップをさらに有し、
第３画質調整パラメータの値を画質調整の対象である画像データ用の値として決定する決定ステップと、
を有し、
前記決定ステップでは、
前記第２決定モードが設定されている場合に、前記第１画質調整パラメータの設定値から得られた前記第３画質調整パラメータの値を、前記画像データ用の値として決定し、
前記第３決定モードが設定されている場合に、前記第２画質調整パラメータの設定値から得られた前記第３画質調整パラメータの値を、前記画像データ用の値として決定することを特徴とするパラメータ調整方法である。
【００１８】
本発明の第５の態様は、上述したパラメータ調整方法の各ステップをコンピュータに実行させることを特徴とするプログラムである。
【発明の効果】
【００１９】
本発明によれば、画質調整パラメータの値として所望の値を容易に得ることができる。
【図面の簡単な説明】
【００２０】
【図１】実施例１に係る表示装置の構成の一例を示すブロック図
【図２】実施例１に係る画質調整パラメータ設定処理の一例を示すフローチャート
【図３】実施例１に係る画質調整処理の一例を示すフローチャート
【図４】実施例１に係るＣＤＬ外部出力処理の一例を示すフローチャート
【図５】実施例１に係る決定モードの一例を示す表
【図６】実施例１に係るコントロールパネルの一例を示す図
【図７】実施例２に係る表示装置の構成の一例を示すブロック図
【図８】実施例２に係る画質調整処理の一例を示すフローチャート
【図９】実施例２に係るマルチ表示の一例を示す図
【図１０】実施例３に係る画像編集装置の構成の一例を示すブロック図
【図１１】実施例３に係る画像編集装置の処理の一例を示すフローチャート
【図１２】ＣＤＬパラメータの一例を示す図
【発明を実施するための形態】
【００２１】
＜実施例１＞
以下、本発明の実施例１に係るパラメータ調整装置及びパラメータ取得方法について説明する。本実施例に係るパラメータ調整装置は、画像データの画質を調整する画質調整パラメータの値を調整する装置である。
なお、本実施例では、パラメータ調整装置が表示装置内に設けられている場合の例を説明するが、パラメータ調整装置は表示装置とは別体の装置であってもよい。
【００２２】
図１は、本実施例に係る表示装置の構成の一例を示すブロック図である。図１に示すように、本実施例に係る表示装置１０は、コマンドデコード部１００、決定モード設定部１０１、ＣＤＬパラメータ設定部１０２、ユーザパラメータ設定部１０３、パラメータ管理部１０４、一時パラメータ管理部１０５、画質調整部１０６、ＣＤＬ入出力部１０７、画像入力部１０８、ガンマ調整部１０９、色域調整部１１０、画像表示部１１１、などを有する。また、表示装置１０は、コントローラ１１とＥｔｈｅｒｎｅｔで接続されている。
なお、パラメータ調整装置が表示装置とは別体の装置である場合には、画像表示部１１１は表示装置に設けられる。また、パラメータ調整装置が表示装置とは別体の装置である場合には、画像入力部１０８、ガンマ調整部１０９、及び、色域調整部１１０のうちの少なくとも１つが表示装置に設けられてもよい。
また、図１には、コントローラ１１が表示装置１０とは別体の装置である場合の例が図示されているが、コントローラ１１は表示装置１０（パラメータ調整装置）の一部であってもよい。
【００２３】
コントローラ１１は、Ｅｔｈｅｒｎｅｔを通じて表示装置１０へコマンドを出力する。コントローラ１１は、例えば、コントローラ１１を用いたユーザ操作に応じたコマンドを出力する。コマンドとしては、例えば、ＣＤＬパラメータ調整コマンド、ユーザパラメータ調整コマンド、決定モード設定コマンド、等が挙げられる。
なお、コマンドの送信方法は上記方法に限らない。例えば、シリアル通信によってコマンドが送られてもよいし、ＵＳＢ（Ｕｎｉｖｅｒｓａｌ  Ｓｅｒｉａｌ  Ｂｕｓ）ケーブルを介してコマンドが送られてもよい。
【００２４】
ＣＤＬパラメータ調整コマンドは、ＣＤＬパラメータの値の調整を指示するコマンドであり、ＣＤＬパラメータは、ＣＤＬ（Ｃｏｌｏｒ  Ｄｅｃｉｓｉｏｎ  Ｌｉｓｔ）によって定義された画質調整パラメータ（第１画質調整パラメータ）である。ＣＤＬは、ＡＳＣ（Ａｍｅｒｉｃａｎ  Ｓｏｃｉｅｔｙ  ｏｆ  Ｃｉｎｅｍａｔｏｇｒａｐｈｅｒｓ）によって定義された画質調整情報のフォーマットである。ＣＤＬパラメータの詳細については後述する。
ユーザパラメータ調整コマンドは、ユーザパラメータの値の調整を指示するコマンドである。ユーザパラメータは、ＣＤＬパラメータとは異なる画質調整パラメータ（第２画質調整パラメータ）である。ユーザパラメータの詳細については後述する。
決定モード設定コマンドは、決定モードの設定を指示するコマンドである。決定モードは、画質調整パラメータの値を対象画像データ用のパラメータ値として決定する決定方法に対応する。対象画像データは画質調整の対象の画像データであり、本実施例では表示装置１０に表示する画像データである。表示装置１０は複数の決定モードを有する。具体的には、表示装置１０は、通常決定モード（第１決定モード）と特別決定モード（第２決定モード）を有する。
なお、表示装置（パラメータ調整装置）は、通常決定モードと特別決定モード以外の決定モードを有していてもよい。例えば、表示装置（パラメータ調整装置）は、通常決定モードと特別決定モードを含む３つ以上の決定モードを有していてもよい。
【００２５】
コマンドデコード部１００は、コントローラ１１から入力されたコマンドを解釈するためのデコードを行う。
【００２６】
決定モード設定部１０１は、複数の決定モードのうちのいずれかを設定する。本実施例では、通常決定モードと特別決定モードのいずれかが設定される。また、本実施例では、決定モード設定コマンドに応じて決定モードが設定される。即ち、ユーザ操作に応じて決定モードが設定される。具体的には、通常決定モードの設定を指示する決定モード設定コマンドがコマンドデコード部１００に入力された場合には、通常決定モードが設定される。そして、特別決定モードの設定を指示する決定モード設定コマンドがコマンドデコード部１００に入力された場合には、特別決定モードが設定される。
【００２７】
ＣＤＬパラメータ設定部１０２は、ＣＤＬパラメータ（第１画質調整パラメータ）の値を設定する（第１設定）。
具体的には、ＣＤＬパラメータ設定部１０２は、ＣＤＬデータを、表示装置１０で管理（使用）可能なフォーマットの画質調整データに変換する。本実施例では、ＣＤＬデータは、基本的なフォーマットの画質調整データ（基本画質調整データ）に変換される。具体的には、ＣＤＬパラメータ調整コマンドで指示されたＣＤＬデータ、または、ＣＤＬ入出力部１０７を介して外部装置から入力されたＣＤＬデータが、基本画質調整データに変換される。そして、ＣＤＬパラメータ設定部１０２は、ＣＤＬデータを変換して得た基本画質調整データを、パラメータ管理部１０４へ出力する。
ＣＤＬデータは、ＣＤＬパラメータの値を含むデータである。
【００２８】
ユーザパラメータ設定部１０３は、ユーザパラメータ（第２画質調整パラメータ）の値を設定する（第２設定）。
具体的には、ユーザパラメータ設定部１０３は、ユーザデータを、表示装置１０で管理（使用）可能なフォーマットの画質調整データに変換する。本実施例では、ユーザパラメータ調整コマンドで指示されたユーザデータが、基本画質調整データに変換される。そして、ユーザパラメータ設定部１０３は、設定されている決定モードに応じて、ユーザデータを変換して得た基本画質調整データを、パラメータ管理部１０４または一時パラメータ管理部１０５へ出力する。具体的には、通常決定モードが設定されている場合には、ユーザデータを変換して得た基本画質調整データが、パラメータ管理部１０４へ送られる。特別決定モードが設定されている場合には、ユーザデータを変換して得た基本画質調整データが、一時パラメータ管理部１０５へ送られる。
ユーザデータは、ユーザパラメータの値を含むデータである。
【００２９】
なお、ユーザパラメータ設定部１０３では、コントローラ１１に対するユーザ操作に応じて生成されたユーザデータとは異なるユーザデータが設定されてもよい。例えば、不図示の入出力部を介して外部装置から入力されたユーザデータが設定されてもよい。
なお、第１画質調整パラメータはＣＤＬパラメータでなくてもよいし、第２画質調整パラメータはユーザパラメータでなくてもよい。例えば、第１画質調整パラメータがユーザパラメータであり、第２画質調整パラメータがＣＤＬパラメータであってもよい。
【００３０】
パラメータ管理部１０４は、基本画質調整データを管理（保持）し、管理している基本画質調整データを画質調整部１０６に出力する。
通常決定モードが設定されている場合には、パラメータ管理部１０４は、ＣＤＬデータを変換して得た基本画質調整データと、ユーザデータを変換して得た基本画質調整データと、を合成した合成データを画質調整部１０６に出力する。
特別決定モードが設定されている場合には、パラメータ管理部１０４は、ＣＤＬデータを変換して得た基本画質調整データだけを画質調整部１０６に出力する。
【００３１】
また、パラメータ管理部１０４は、第３画質調整パラメータの値を対象画像データ用の値として決定し、決定した値をＣＤＬ入出力部１０７に出力する。具体的には、パラメータ管理部１０４は、基本画質調整データをＣＤＬデータに変換し、基本画質調整データを変換して得たＣＤＬデータをＣＤＬ入出力部１０７に出力する。
通常決定モードが設定されている場合には、パラメータ管理部１０４は、上記合成データをＣＤＬデータに変換し、ＣＤＬ入出力部１０７に出力する。即ち、本実施例では、通常決定モードが設定されている場合に、第１画質調整パラメータの設定値と第２画質調整パラメータの設定値とを合成した第３画質調整パラメータの値が、対象画像データ用の値として決定される。
特別決定モードが設定されている場合には、パラメータ管理部１０４は、ＣＤＬデータを変換して得た基本画質調整データをＣＤＬデータに変換し、ＣＤＬ入出力部１０７に出力する。即ち、本実施例では、特別決定モードが設定されている場合に、第１画質調整パラメータの設定値から得られた第３画質調整パラメータの値が、対象画像データ用の値として決定される。具体的には、ＣＤＬパラメータ設定部１０２で設定されたＣＤＬデータが、対象画像データ用の画質調整データとして決定される。
【００３２】
なお、本実施例では、第３画質調整パラメータが第１画質調整パラメータ（ＣＤＬパラメータ）と同じパラメータである場合の例を説明するが、第３画質調整パラメータは第１画質調整パラメータと異なるパラメータであってもよい。例えば、第３画質調整パラメータは、第２画質調整パラメータと同じパラメータであってもよいし、第１画質調整パラメータ及び第２画質調整パラメータと異なるパラメータであってもよい。
【００３３】
一時パラメータ管理部１０５は、基本画質調整データを管理（保持）し、管理している基本画質調整データを画質調整部１０６に出力する。
通常決定モードが設定されている場合には、一時パラメータ管理部１０５は、パラメータ管理部１０４は、基本画質調整データを画質調整部１０６に出力しない。
特別決定モードが設定されている場合には、一時パラメータ管理部１０５は、ユーザデータを変換して得た基本画質調整データを画質調整部１０６に出力する。
【００３４】
画質調整部１０６は、画質調整データに基づいて、ガンマ調整部１０９と色域調整部１１０に処理パラメータの値を設定する。
通常決定モードが設定されている場合には、合成データが画質調整部１０６に入力され、合成データに基づいて処理パラメータの値が設定される。
特別決定モードが設定されている場合には、ＣＤＬデータを変換して得た基本画質調整データとユーザデータを変換して得た基本画質調整データとが画質調整部１０６に入力される。そして、上記２つの基本画質調整データに基づいて処理パラメータの値が設定される。
そのため、通常決定モードと特別決定モードのいずれにおいても同じ処理パラメータの値が設定される。
【００３５】
ＣＤＬ入出力部１０７は、ＵＳＢやＥｔｈｅｒｎｅｔなどで接続される外部装置に、パラメータ管理部１０４から出力されたＣＤＬデータ（対象画像データ用のＣＤＬデータ）を出力する。また、外部装置から出力されたＣＤＬデータを表示装置１０内に入力する。
【００３６】
画像入力部１０８は、外部から表示装置１０内に対象画像データを入力する。対象画像データは、ＨＤＭＩ、ＳＤＩ、ＤｉｓｐｌａｙＰｏｒｔなどの画像ケーブルを通じて入力される。
ガンマ調整部１０９は、対象画像データに対し、処理パラメータの設定値を用いたガンマ調整処理を施す。それにより、対象画像データの明るさが調整される。そして、ガンマ調整部１０９は、ガンマ調整処理が施された画像データを出力する。
色域調整部１１０は、ガンマ調整部１０９から出力された画像データに対して、処理パラメータの設定値を用いた色域調整処理を施す。それにより、対象画像データの色域が調整される。そして、色域調整部１１０は、ガンマ調整処理と色域調整処理が施された画像データを出力する。
画像表示部１１１は、色域調整部１１０から出力された画像データを画面に表示する。画像表示部１１１としては、液晶パネル、プラズマパネル、有機ＥＬパネル、等を用いることができる。
なお、ガンマ調整処理と色域調整処理はどちらが先に行われてもよい。例えば、色域調整処理が対象画像データに施され、色域調整処理が施された画像データにガンマ調整処理が施されてもよい。
【００３７】
ＣＤＬパラメータについて説明する。図１２にＣＤＬパラメータの一例を示す。図１２に示すように、ＣＤＬパラメータは、「Ｓｌｏｐｅ」、「Ｏｆｆｓｅｔ」、「Ｐｏｗｅｒ」、及び、「Ｓａｔｕｒａｔｉｏｎ」である。「Ｓｌｏｐｅ」、「Ｏｆｆｓｅｔ」、「Ｐｏｗｅｒ」、及び、「Ｓａｔｕｒａｔｉｏｎ」の値は、画像データのＲ値、Ｇ値、及び、Ｂ値のそれぞれに対して設定される。即ち、Ｒ値用の「Ｓｌｏｐｅ」、「Ｏｆｆｓｅｔ」、「Ｐｏｗｅｒ」、及び、「Ｓａｔｕｒａｔｉｏｎ」の値が設定される。Ｇ値用の「Ｓｌｏｐｅ」、「Ｏｆｆｓｅｔ」、「Ｐｏｗｅｒ」、及び、「Ｓａｔｕｒａｔｉｏｎ」の値が設定される。そして、Ｂ値用の「Ｓｌｏｐｅ」、「Ｏｆｆｓｅｔ」、「Ｐｏｗｅｒ」、及び、「Ｓａｔｕｒａｔｉｏｎ」の値が設定される。
「Ｓｌｏｐｅ」は、調整前の値（Ｒ値、Ｇ値、及び、Ｂ値）の変化に対する調整後の値の変化の傾きを変更するパラメータである。具体的には、「Ｓｌｏｐｅ」は、調整前の値（入力値）が最小レベルのときの調整後の値（出力値）を維持したまま当該傾きを変更するパラメータである。「最小レベル」は「黒レベル」ということもできる。「Ｓｌｏｐｅ」の値は、調整前の値に乗算するゲイン値に対応する。
「Ｏｆｆｓｅｔ」は、調整前の値の変化に対する調整後の値の変化の仕方を維持したまま、調整後の値の大きさを変更するパラメータである。「Ｏｆｆｓｅｔ」の値は、調整前の値に加減算するオフセット値に対応する。
「Ｐｏｗｅｒ」は、調整前の値の変化に対する調整後の値の変化の仕方を変更するパラメータである。具体的には、「Ｐｏｗｅｒ」は、調整前の値が最小レベルのときの調整後の値と、調整前の値が最大レベルのときの調整後の値と、を維持したまま、調整前の値が中間レベルのときの調整後の値を変更するパラメータである。「最大レベル」は「白レベル」ということもできる。中間レベルは、最小レベルと最大レベルの間のレベルである。「Ｐｏｗｅｒ」の値は、調整前の値にガンマ変換を施す際のガンマ値に対応する。
「Ｓａｔｕｒａｔｉｏｎ」は、調整前のクロマ信号の値の変化に対する調整後の値の変化の傾きを変更するパラメータである。「Ｓａｔｕｒａｔｉｏｎ」の値は、画像信号中のクロマ信号に乗算するクロマゲイン値に対応する。「Ｓａｔｕｒａｔｉｏｎ」の値と、調整前後の値との対応関係は、「Ｓｌｏｐｅ」の値と、調整前後の値との対応関係と同様のため、図は省略されている。
【００３８】
ユーザパラメータについて説明する。本実施例では、ユーザパラメータとして、「ブライトネス」、「コントラスト」、「クロマ」、及び、「シャープネス」が使用される。
「ブライトネス」は、画面全体の明るさを変更するパラメータである。「ブライトネス」の値を調整することで、暗い画素を高い再現度合いで表示することができる。また、暗部に含まれる影、輪郭、などのディテールを見やすくしたりすることができる。
「コントラスト」は、画面の明暗の差を変更するパラメータである。「コントラスト」の値を調整することで、ハイライト部分を高い再現度合いで表示することができる。
「シャープネス」は、輪郭の強調度合いを変更したり、ディテールの再現度合いを変更したりするパラメータである。表示画像の周波数特性の中高域が強調されるように「シャープネス」の値を調整することにより、ディテールを高い再現度合いで表示することがで
きる。
「クロマ」は、画面の色合いを変更するパラメータである。「クロマ」の値を調整することで、自然な色味の表示画像を得ることができる。
なお、ユーザパラメータとして、「ブライトネス」、「コントラスト」、「クロマ」、及び、「シャープネス」以外のパラメータが使用されてもよい。
【００３９】
画質調整パラメータを設定する際の表示装置１０の処理の流れについて、図２のフローチャートを用いて説明する。
【００４０】
まず、コマンドデコード部１００が、コントローラ１１から送られたコマンドをデコードする（Ｓ１０１）。
次に、コマンドデコード部１００が、Ｓ１０１のデコード結果から、コントローラ１１から送られたコマンドがＣＤＬパラメータ調整コマンドかユーザパラメータ調整コマンドコマンドかを判断する（Ｓ１０２）。コントローラ１１から送られたコマンドがＣＤＬパラメータ調整コマンドである場合にはＳ１０３に処理が進められ、コントローラ１１から送られたコマンドがユーザパラメータ調整コマンドである場合にはＳ１０５に処理が進められる。
【００４１】
Ｓ１０３では、ＣＤＬパラメータ設定部１０２が、ＣＤＬパラメータ調整コマンドで示されたＣＤＬデータを基本画質調整データへ変換する。
そして、ＣＤＬパラメータ設定部１０２が、Ｓ１０３で得られた基本画質調整データをパラメータ管理部１０４に出力（記録）する（Ｓ１０４）。
【００４２】
Ｓ１０５では、ユーザパラメータ設定部１０３が、ユーザパラメータ調整コマンドで示されたユーザデータを基本画質調整データへ変換する。
そして、ユーザパラメータ設定部１０３が、決定モード設定部１０１から現在設定されている決定モードを示す情報を取得し、取得した情報から、現在設定されている決定モードが通常決定モードか特別決定モードかを判断する（Ｓ１０６）。通常決定モードが設定されている場合にはＳ１０７に処理が進められ、特別決定モードが設定されている場合にはＳ１０８に処理が進められる。
【００４３】
Ｓ１０７では、ユーザパラメータ設定部１０３が、Ｓ１０５で得られた基本画質調整データをパラメータ管理部１０４に出力（記録）する。
Ｓ１０８では、ユーザパラメータ設定部１０３が、Ｓ１０５で得られた基本画質調整データを一時パラメータ管理部１０５に出力（記録）する。
【００４４】
画質調整を行う際の表示装置１０の処理の流れについて、図３のフローチャートを用いて説明する。
【００４５】
まず、画質調整部１０６が、決定モード設定部１０１から現在設定されている決定モードを示す情報を取得し、取得した情報から、現在設定されている決定モードが通常決定モードか特別決定モードかを判断する（Ｓ２０１）。通常決定モードが設定されている場合にはＳ２０２に処理が進められ、特別決定モードが設定されている場合にはＳ２０３に処理が進められる。
【００４６】
Ｓ２０２では、画質調整部１０６が、ＣＤＬデータを変換して得た基本画質調整データと、ユーザデータを変換して得た基本画質調整データと、を合成した合成データを、パラメータ管理部１０４から取得する。そして、画質調整部１０６が、合成データに基づいて処理パラメータの値を設定する。その後、対象画像データが、合成データに基づくガンマ調整処理と色域調整処理が施されて表示される。
【００４７】
Ｓ２０３では、画質調整部１０６が、ＣＤＬデータを変換して得た基本画質調整データをパラメータ管理部１０４から取得し、ユーザデータを変換して得た基本画質調整データを一時パラメータ管理部１０５から取得する。そして、画質調整部１０６が、取得した２つの基本画質調整データ（２つの基本画質調整データの和）に基づいて処理パラメータの値を設定する。例えば、取得された２つの基本画質調整データの和に基づいて処理パラメータの値が設定される。その後、対象画像データが、取得された２つの基本画質調整データに基づくガンマ調整処理と色域調整処理が施されて表示される。
【００４８】
対象画像データ用のＣＤＬデータを外部出力する際の表示装置１０の処理の流れについて、図４のフローチャートを用いて説明する。
【００４９】
まず、コマンドデコード部１００が、コントローラ１１から送られたコマンドをデコードし、デコード結果から、コントローラ１１から送られたコマンドがＣＤＬ外部出力コマンドか否かを判断する（Ｓ３０１）。コントローラ１１から送られたコマンドがＣＤＬ外部出力コマンドであると判断されるまで、Ｓ３０１の処理が行われる。コントローラ１１から送られたコマンドがＣＤＬ外部出力コマンドであると判断されると、Ｓ３０２に処理が進められる。
【００５０】
Ｓ３０２では、パラメータ管理部１０４が、管理（記憶）している基本画質調整データをＣＤＬデータに変換する。
次に、パラメータ管理部１０４が、Ｓ３０２で得られたＣＤＬデータを、ＸＭＬファイルフォーマットのデータに変換する（Ｓ３０３）。
そして、パラメータ管理部１０４が、Ｓ３０３で生成されたＸＭＬファイルを、ＣＤＬ入出力部１０７を介して外部装置に出力する（Ｓ３０４）。
【００５１】
本実施例では、特別決定モードが設定されたときに、ユーザパラメータ設定部１０３から出力された基本画質調整データが、パラメータ管理部１０４で管理されている基本画質調整データの中から除外される。そして、特別決定モードが設定されているときに、ユーザパラメータ設定部１０３から出力された基本画質調整データが、ＣＤＬデータに変換されて出力される。また、通常決定モードが設定されているときに、ＣＤＬパラメータ設定部１０２から出力された基本画質調整データと、ユーザパラメータ設定部１０３から出力された基本画質調整データと、を合成した合成データが、ＣＤＬデータ（具体的にはＸＭＬファイル）に変換されて出力される。
【００５２】
図５は、決定モード、画質調整データの設定先、及び、画質調整部１０６が参照する機能部の対応関係を示す表である。
図５に示すように、通常決定モードが設定されているときには、ＣＤＬパラメータ設定部１０２とユーザパラメータ設定部１０３の両方がパラメータ管理部１０４に基本画質調整データを設定する。そして、画質調整部１０６は、パラメータ管理部１０４からの基本画質調整データ（合成データ）のみを用いて、処理パラメータの値を設定する。
また、図５に示すように、特別決定モードが設定されているときには、ＣＤＬパラメータ設定部１０２がパラメータ管理部１０４に基本画質調整データを設定し、ユーザパラメータ設定部１０３が一時パラメータ管理部１０５に基本画質調整データを設定する。そして、画質調整部１０６は、パラメータ管理部１０４からの基本画質調整データと、一時パラメータ管理部１０５からの基本画質調整データと、を用いて、処理パラメータの値を設定する。ここで、“パラメータ管理部１０４からの基本画質調整データ”は、ＣＤＬデータを変換して得たデータであり、“一時パラメータ管理部１０５からの基本画質調整データ”は、ユーザデータを変換して得たデータである。
【００５３】
図６は、コントローラ１１の一例としてコントロールパネル５０を示す図である。コントロールパネル５０は、決定モード設定ボタン５０１、画質調整切替つまみ５０２、第１画質調整つまみ５０３、第２画質調整つまみ５０４、第３画質調整つまみ５０５、第４画質調整つまみ５０６、外部出力ボタン５０７、などを有する。
【００５４】
ユーザが決定モード設定ボタン５０１を押下すると、決定モードが「通常決定モード」と「特別決定モード」の間で切り替えられる。
ユーザが調整切替つまみ５０２を回すと、調整対象の画質調整パラメータが「ユーザパラメータ」と「ＣＤＬパラメータ」の間で切り替えられる。
ユーザが外部出力ボタン５０７を押下すると、対象画像データ用のＣＤＬデータが外部へ出力される。
【００５５】
調整対象の画質調整パラメータが「ユーザパラメータ」であるときに、ユーザが第１画質調整つまみ５０３を回すと、「コントラスト」の値が調整される。そして、調整対象の画質調整パラメータが「ＣＤＬパラメータ」であるときに、ユーザが第１画質調整つまみ５０３を回すと、「Ｓｌｏｐｅ」の値が調整される。
調整対象の画質調整パラメータが「ユーザパラメータ」であるときに、ユーザが第２画質調整つまみ５０４を回すと、「ブライトネス」の値が調整される。そして、調整対象の画質調整パラメータが「ＣＤＬパラメータ」であるときに、ユーザが第２画質調整つまみ５０４を回すと、「Ｏｆｆｓｅｔ」の値が調整される。
調整対象の画質調整パラメータが「ユーザパラメータ」であるときに、ユーザが第３画質調整つまみ５０５を回すと、「クロマ」の値が調整される。そして、調整対象の画質調整パラメータが「ＣＤＬパラメータ」であるときに、ユーザが第３画質調整つまみ５０５を回すと、「Ｓａｔｕｒａｔｉｏｎ」の値が調整される。
調整対象の画質調整パラメータが「ユーザパラメータ」であるときに、ユーザが第４画質調整つまみ５０６を回すと、「シャープネス」の値が調整される。そして、調整対象の画質調整パラメータが「ＣＤＬパラメータ」であるときに、ユーザが第４画質調整つまみ５０６を回すと、「Ｐｏｗｅｒ」の値が調整される。
【００５６】
以下、通常決定モードが設定されている状態でユーザ調整（ユーザパラメータの値の調整）を行う際の動作について説明する。
まず、ユーザが決定モード設定ボタン５０１を押下することにより、通常決定モードが設定される。
次に、ユーザが調整切替つまみ５０２を回すことにより、調整対象の画質調整パラメータとしてユーザパラメータが選択される。
そして、ユーザが第１画質調整つまみ５０３から第４画質調整つまみ５０６を回すことで、そのユーザ操作に応じたユーザパラメータ調整コマンドが表示装置１０に入力される。その結果、第１画質調整つまみ５０３から第４画質調整つまみ５０６を回すユーザ操作に応じて、「コントラスト」、「ブライトネス」、「クロマ」、及び、「シャープネス」の値が調整され、その調整結果がパラメータ管理部１０４に設定される。
通常決定モードが設定されているため、パラメータ管理部１０４で管理されている基本画質調整データに基づく画像処理が施された画像データが表示される。そのため、上記調整結果が反映された画像データが表示される。
また、上記調整結果がパラメータ管理部１０４に設定されるため、上記調整結果が反映されたＣＤＬデータを対象画像用のＣＤＬデータとして生成することができる。その結果、他の作業工程においても、現工程と同じ画像表示が可能となる。
【００５７】
次に、特別決定モードが設定されている状態でユーザ調整を行う際の動作について説明する。
まず、ユーザが決定モード設定ボタン５０１を押下することにより、特別決定モードが
設定される。特別決定モードは、例えば、画質調整時の照明環境等に応じて行われた一時的なユーザ調整のように、後処理に結果を伝えるべきでない一時的なユーザ調整を行う際に設定される。
次に、ユーザが調整切替つまみ５０２を回すことにより、調整対象の画質調整パラメータとしてユーザパラメータが選択される。
そして、ユーザが第１画質調整つまみ５０３から第４画質調整つまみ５０６を回すことで、そのユーザ操作に応じたユーザパラメータ調整コマンドが表示装置１０に入力される。その結果、第１画質調整つまみ５０３から第４画質調整つまみ５０６を回すユーザ操作に応じて、「コントラスト」、「ブライトネス」、「クロマ」、及び、「シャープネス」の値が調整され、その調整結果が一時パラメータ管理部１０５に設定される。
特別決定モードが設定されているため、パラメータ管理部１０４で管理されている基本画質調整データと、一時パラメータ管理部１０５で管理されている基本画質調整データと、に基づく画像処理が施された画像データが表示される。そのため、上記調整結果が反映された画像データが表示される。
また、上記調整結果はパラメータ管理部１０４には設定されないため、上記調整結果が対象画像用のＣＤＬデータに影響を与えることを防ぐことができる。その結果、伝えるべき調整結果を他の作業工程に正確に伝えることができる。
さらに、上記の表示が行われた後に通常表示モードを設定すれば、上記調整結果が反映されていない画像データを表示することができる。具体的には、通常表示モードの設定直後において、パラメータ管理部１０４ではユーザデータから得られた基本画質調整データが管理されていない。そのため、パラメータ管理部１０４からは合成データではなくＣＤＬデータから得られた基本画質調整データが取得される（例外処理）。その結果、ＣＤＬデータから得られた基本画質調整データのみに基づく画像処理が施された画像データを表示することができる。
【００５８】
次に、ＣＤＬ調整（ＣＤＬパラメータの値の調整）を行う際の動作について説明する。
まず、ユーザが決定モード設定ボタン５０１を押下することにより、通常決定モードが設定される。
次に、ユーザが調整切替つまみ５０２を回すことにより、調整対象の画質調整パラメータとしてＣＤＬパラメータが選択される。
そして、ユーザが第１画質調整つまみ５０３から第４画質調整つまみ５０６を回すことで、そのユーザ操作に応じたＣＤＬパラメータ調整コマンドが表示装置１０に入力される。その結果、第１画質調整つまみ５０３から第４画質調整つまみ５０６を回すユーザ操作に応じて、「Ｓｌｏｐｅ」、「Ｏｆｆｓｅｔ」、「Ｐｏｗｅｒ」、及び、「Ｓａｔｕｒａｔｉｏｎ」の値が調整され、その調整結果がパラメータ管理部１０４に設定される。
通常決定モードが設定されているため、パラメータ管理部１０４で管理されている基本画質調整データに基づく画像処理が施された画像データが表示される。そのため、上記調整結果が反映された画像データが表示される。
また、上記調整結果がパラメータ管理部１０４に設定されるため、上記調整結果が反映されたＣＤＬデータを対象画像用のＣＤＬデータとして生成することができる。その結果、他の作業工程においても、現工程と同じ画像表示が可能となる。
特別決定モードが設定された場合にも同様の処理が行われ、同様の効果が得られる。
【００５９】
以上述べたように、本実施例によれば、通常決定モードと特別決定モードを含む複数の決定モードのうちのいずれかが設定される。そして、設定された決定モードに応じた方法で、対象画像用の画質調整データが決定される。具体的には、通常決定モードが設定されている場合に、ＣＤＬパラメータの設定値とユーザパラメータの設定値とを合成したＣＤＬパラメータの値が、対象画像データ用の値として決定される。そして、特別決定モードが設定されている場合に、ＣＤＬパラメータの設定値が、対象画像データ用の値として決定される。このように、決定モードに応じて処理を切り替えるという簡易な構成で、対象
画像データ用の画質調整パラメータ値として所望の値を容易に得ることができる。具体的には、ＣＤＬ調整とユーザ調整の両方の結果を示す画質調整パラメータ値を対象画像データ用の値として得たい場合には通常決定モードを設定して調整を行えばよい。また、ＣＤＬ調整の結果を示し、ユーザ調整の結果を示さない画質調整パラメータ値を対象画像データ用の値として得たい場合には特別決定モードを設定して調整を行えばよい。それにより、対象画像データ用の画質調整パラメータ値として所望の値を得ることができる。
【００６０】
なお、本実施例では、ユーザデータから得られた基本画質調整データのみを一時パラメータ管理部に設定する例を説明したが、これに限らない。例えば、ユーザデータから得られた基本画質調整データに対して、一時的なユーザ調整が行われたか否かを示す情報、一時的なユーザ調整によって設定されたデータであるか否かを示す情報、が付加されてもよい。その場合には、上記情報を用いて処理を切り替えることができるため、ユーザデータから得られた基本画質調整データが常にパラメータ管理部に設定されてもよい。また、ＣＤＬデータがパラメータ管理部と一時パラメータ管理部の両方に設定されてもよい。
【００６１】
なお、本実施例では、通常決定モードにおいて、ＣＤＬ調整とユーザ調整の結果が反映されたＣＤＬデータが、対象画像用の画質調整データとして生成される例を説明したが、これに限らない。例えば、通常決定モードは、ユーザ調整の結果のみが反映されたＣＤＬデータを対象画像用の画質調整データとして生成するモード（第３決定モード）であってもよい。具体的には、ＣＤＬパラメータ設定部は、特別決定モードが設定されている場合に、ＣＤＬデータを変換して得た基本画質調整データをパラメータ管理部に出力し、通常決定モードが設定されている場合に、データをパラメータ管理部に出力しなくてもよい。そして、通常決定モードが設定されている場合に、ユーザパラメータの設定値から得られたＣＤＬパラメータの値が、対象画像データ用の値として決定されてもよい。また、通常決定モードと特別決定モードとは別に上記第３決定モードが用意されていてもよい。
ＣＤＬに不慣れなユーザは他の作業工程に結果を伝えるべき画質調整としてユーザ調整を行うことが考えられる。ユーザ調整の結果のみが反映されたＣＤＬデータが対象画像用の画質調整データとして生成されることにより、ユーザ調整の結果のみを示す画質調整データを対象画像用の画質調整データとして得たい場合に、所望のデータを容易に得ることができる。
【００６２】
＜実施例２＞
以下、本発明の実施例２に係るパラメータ調整装置及びパラメータ取得方法について説明する。実施例１では１つの画像データが表示される例を説明したが、本実施例では複数の画像データが並べて表示されるマルチ表示が行われる例を説明する。
なお、以下では、簡単のために２つの画像データが並べて表示される例を説明するが、マルチ表示では３つ以上の画像データが並べて表示されてもよい。
【００６３】
図７は、本実施例に係る表示装置の構成の一例を示すブロック図である。
図７において、実施例１（図１）と同じ機能部には同じ符号を付し、その説明は省略する。
図７に示すように、本実施例に係る表示装置２０は、図１に示す機能部の他に、表示領域設定部２００をさらに有する。
【００６４】
表示領域設定部２００は、マルチ表示される画像データ毎に、その画像データを表示すべき領域（表示領域）を設定する。表示領域はコントローラ１１に対するユーザ操作に応じて設定される。具体的には、マルチ表示される画像データ毎に、ユーザ操作に応じた表示領域設定コマンドで示された位置及び大きさの領域が表示領域として設定される。本実施例では、マルチ表示される２つの画像データの一方が表示領域１に表示され、他方が表示領域２に表示される。表示領域設定部２００は、マルチ表示される各画像データの表示
領域を示す情報を画質調整部１０６に出力する。
【００６５】
決定モード設定部２０１は、実施例１に係る決定モード設定部１０１と同じ機能を有する。但し、マルチ表示が行われる際には、マルチ表示される画像データ（画像データの表示領域）毎に、決定モードを設定する。具体的には、決定モード設定コマンドとして、マルチ表示される画像データ（画像データの表示領域）毎に決定モードを示すコマンドが入力される。そして、マルチ表示される各画像データ（各表示領域）に対して、決定モード設定コマンドで示された決定モードが設定される。
【００６６】
ユーザパラメータ設定部２０３は、実施例１に係るユーザパラメータ設定部１０３と同じ機能を有する。但し、マルチ表示が行われる際には、ユーザパラメータ設定部２０３は、マルチ表示される画像データ（画像データの表示領域）毎に、決定モードに応じた処理を行う。決定モードに応じた処理の内容は、実施例１と同じである。即ち、マルチ表示が行われる際には、図２のＳ１０６〜Ｓ１０８の処理が、マルチ表示される画像データ毎に行われる。
【００６７】
パラメータ管理部２０４は、実施例１に係るパラメータ管理部１０４と同じ機能を有する。但し、マルチ表示が行われる際には、パラメータ管理部２０４は、マルチ表示される画像データ（画像データの表示領域）毎に、その画像データ用のＣＤＬデータ（第３画質調整パラメータの値）を決定する。対象画像データ用のＣＤＬデータは、実施例１と同じ方法で決定される。
【００６８】
画質調整を行う際の表示装置２０の処理の流れについて、図８のフローチャートを用いて説明する。
【００６９】
まず、画質調整部１０６が、表示領域設定部２００からマルチ表示される各画像データの表示領域を示す情報を取得する（Ｓ４０１）。
次に、画質調整部１０６が、決定モード設定部２０１から各表示領域の決定モードを取得する（Ｓ４０２）。
そして、画質調整部１０６が、表示領域毎に、その表示領域の決定モードに応じてパラメータ管理部１０４と一時パラメータ管理部１０５から基本画質調整データを取得し、取得した基本画質調整データに基づいて処理パラメータの値を設定する（Ｓ４０３）。画質調整部１０６による基本画質調整データの取得方法は、実施例１と同じである。
【００７０】
図９にマルチ表示の一例を示す。
図９の例では、画面の左側の領域７０１と、画面の右側の領域７０２とに、それぞれ、画像データが表示されている。また、画面の左側の領域７０１に対して通常決定モードが設定され、画面の右側の領域７０２に対して特別決定モードを設定されている。
実施例１で述べたように、特別決定モードを設定した後に決定モードを通常決定モードに切り替えることにより、ＣＤＬ調整の結果のみが反映された画像データを表示することができる。そのため、領域７０１と領域７０２とで、表示される元データ（ガンマ調整処理や色域調整処理が施される前の画像データ）が同じ場合には、領域７０１でＣＤＬ調整の結果のみが反映された画像データを確認することができる。そして、領域７０２でＣＤＬ調整と（一時的な）ユーザ調整とが反映された画像データを確認することができる。
【００７１】
以上述べたように、本実施例によれば、マルチ表示される複数の画像データに対して個別に対象画像データ用のＣＤＬデータを決定することができる。それにより、マルチ表示が行われた場合にも、対象画像データ用の画質調整パラメータ値として所望の値を容易に得ることができる。
また、ＣＤＬ調整の結果のみが反映された画像データと、ＣＤＬ調整と一時的なユーザ
調整とが反映された画像データと、を同時に確認することが可能となる。
【００７２】
なお、本実施例では、ＣＤＬパラメータ設定部１０２によって、画面全体に対して１つのＣＤＬデータが設定され、ユーザパラメータ設定部１０３によって、画面全体に対して１つのユーザデータが設定される例を説明したが、これに限らない。例えば、ＣＤＬパラメータ設定部１０２によって、マルチ表示される画像データ毎のＣＤＬデータが設定されてもよい。そして、ユーザパラメータ設定部１０３によって、マルチ表示される画像データ毎のユーザデータが設定されてもよい。
【００７３】
＜実施例３＞
以下、本発明の実施例３に係るパラメータ調整装置及びパラメータ調整方法について説明する。実施例１，２では、パラメータ調整装置が表示装置に内蔵されている例を説明したが、本実施例では、パラメータ調整装置が表示装置とは別体の装置である場合の例を説明する。そして、本実施例では、表示装置においても、画質調整パラメータの値の設定と、画質調整とが行われる例を説明する。
【００７４】
図１０は、本実施例に係るパラメータ調整装置（画像編集装置）の構成の一例を示すブロック図である。
図１０において、実施例１（図１）と同じ機能部には同じ符号を付し、その説明は省略する。
図１０に示すように、本実施例に係る画像編集装置３０は、図１に示す機能部の他に、通信部３０１と外部パラメータ管理部３０２をさらに有する。また、本実施例に係る画像編集装置３０は、図１に示す画像表示部１１１の代わりに画像出力部３００を有する。
【００７５】
画像出力部３００は、画像編集装置３０において行われたＣＤＬ調整やユーザ調整が反映された画像データを表示装置へ出力する。具体的には、画像出力部３００は、色域調整部１１０から出力された画像データを表示装置へ出力する。
【００７６】
通信部３０１は、表示装置との間でデータの送受信を行う。本実施例では、表示装置において第４画質調整パラメータの値が設定可能であるものとする。そして、通信部３０１は、表示装置から第４画質調整パラメータの設定値を取得する。本実施例では、第４画質調整パラメータが第２画質調整パラメータ（ユーザパラメータ）と同じパラメータであるものとする。そのため、通信部３０１では、表示装置で設定されているユーザデータが取得される。
なお、第４画質調整パラメータは、ＣＤＬパラメータであってもよいし、ＣＤＬパラメータやユーザパラメータ以外のパラメータであってもよい。
【００７７】
外部パラメータ管理部３０２は、表示装置で設定されているユーザデータを基本画質調整データに変換する。そして、外部パラメータ管理部３０２は、表示装置で設定されているユーザデータを変換して得た基本画質調整データをパラメータ管理部１０４に出力する。
【００７８】
そして、通常決定モードが設定されている場合には、表示装置で設定されたユーザデータが反映されたＣＤＬデータが、対象画像データ用のデータとして生成される。具体的には、ＣＤＬパラメータ設定部１０２、ユーザパラメータ設定部１０３、及び、外部パラメータ管理部３０２から入力された３つの基本画質調整データを合成した通常合成データが生成される。そして、通常合成データを変換して得たＣＤＬデータが、対象画像データ用のデータとして決定される。即ち、ＣＤＬパラメータ設定部１０２で設定されたＣＤＬデータ、ユーザパラメータ設定部１０３で設定されたユーザデータ、及び、表示装置で設定されたユーザデータを合成したＣＤＬデータが、対象画像データ用のデータとして決定さ
れる。
また、通常決定モードが設定されている場合には、パラメータ管理部１０４から取得された通常合成データに基づいて、処理パラメータの値が設定される。
【００７９】
特別決定モードが設定されている場合にも、表示装置で設定されたユーザデータが反映されたＣＤＬデータが、対象画像データ用のデータとして生成される。具体的には、ＣＤＬパラメータ設定部１０２及び外部パラメータ管理部３０２から入力された２つの基本画質調整データを合成した特別合成データが生成される。そして、特別合成データを変換して得たＣＤＬデータが、対象画像データ用のデータとして決定される。即ち、ＣＤＬパラメータ設定部１０２で設定されたＣＤＬデータ、及び、表示装置で設定されたユーザデータを合成したＣＤＬデータが、対象画像データ用のデータとして決定される。
また、特別決定モードが設定されている場合には、パラメータ管理部１０４から取得された特別合成データと、一時パラメータ管理部１０５から取得された基本画質調整データと、に基づいて、処理パラメータの値が設定される。
【００８０】
画像編集装置３０で行わる処理の流れについて、図１１のフローチャートを用いて説明する。
【００８１】
まず、コマンドデコード部１００が、コントローラ１１から送られたコマンドをデコードし、デコード結果から、コントローラ１１から送られたコマンドが調整開始コマンドか否かを判断する（Ｓ９０１）。コントローラ１１から送られたコマンドが調整開始コマンドであると判断されるまで、Ｓ９０１の処理が行われる。コントローラ１１から送られたコマンドが調整開始コマンドであると判断されると、Ｓ９０２に処理が進められる。
【００８２】
Ｓ９０２では、外部パラメータ管理部３０２が、表示装置で設定されているユーザデータを、通信部３０１を通じて表示装置から取得する。そして、外部パラメータ管理部３０２は、取得したユーザデータを基本画質調整データに変換してパラメータ管理部１０４に出力する。
次に、外部パラメータ管理部３０２が、画像処理を停止する停止指示（停止メッセージ）を、通信部３０１を通じて表示装置へ送信する（Ｓ９０３）。それにより、表示装置における画像処理（上記ユーザデータに基づく画像処理）が停止する。
【００８３】
次に、コマンドデコード部１００が、コントローラ１１から追加で送られたコマンドをデコードし、デコード結果から、コントローラ１１から追加で送られたコマンドがパラメータ調整コマンドか否かを判断する（Ｓ９０４）。コントローラ１１から追加で送られたコマンドがパラメータ調整コマンドであると判断されるまで、Ｓ９０４の処理が行われる。コントローラ１１から追加で送られたコマンドがパラメータ調整コマンドであると判断されると、Ｓ９０５に処理が進められる。
【００８４】
Ｓ９０５では、追加で送られたパラメータ調整コマンドに応じて、基本画質調整データの記録が行われる。具体的には、ＣＤＬパラメータ調整コマンドが追加で送られた場合には、図２のＳ１０３とＳ１０４の処理が行われ、ユーザパラメータ調整コマンドが追加で送られた場合には、図２のＳ１０５〜Ｓ１０８の処理が行われる。
【００８５】
次に、コマンドデコード部１００が、コントローラ１１から追加で送られたコマンドをデコードし、デコード結果から、コントローラ１１から追加で送られたコマンドが調整終了コマンドか否かを判断する（Ｓ９０６）。コントローラ１１から追加で送られたコマンドが調整終了コマンドであると判断されるまで、Ｓ９０６の処理が行われる。コントローラ１１から追加で送られたコマンドが調整終了コマンドであると判断されると、Ｓ９０７に処理が進められる。
【００８６】
Ｓ９０７では、画像処理を再開する再開指示（再開メッセージ）を、通信部３０１を通じて表示装置へ送信する。それにより、表示装置における画像処理（表示装置で設定されているユーザデータに基づく画像処理）が再開する。
なお、Ｓ９０４の処理が行われている最中に調整終了コマンドが送られた場合には、Ｓ９０５の処理は行われずにＳ９０７の処理が行われる。また、Ｓ９０６の処理が行われている最中にパラメータ調整コマンドが送られた場合にはＳ９０５の処理が行われる。
【００８７】
以上述べたように、本実施例によれば、外部装置で設定されている画質調整データを考慮して、対象画像用の画質調整データが決定される。それにより、現工程で行われた画質調整の結果を正確に他の作業工程に伝えることができ、他の作業工程においても、現工程と同じ画像表示が可能となる。具体的には、外部装置で設定されている画質調整データに基づく画像処理が施された画像データを、他の工程においても表示することが可能となる。
【００８８】
なお、本実施例の構成にマルチ表示に対応した実施例２の構成が付加されてもよい。
なお、本実施例では表示装置から第４画質調整パラメータの設定値を取得する例を説明したが、表示装置以外の外部装置から第４画質調整パラメータの設定値が取得されてもよい。
【００８９】
なお、特別決定モードが設定されている場合には、表示装置で設定されたユーザデータを考慮せずに、対象画像データ用のＣＤＬデータが決定されてもよい。例えば、ＣＤＬパラメータ設定部１０２で設定されたＣＤＬデータが対象画像データ用のＣＤＬデータとして決定されてもよい。その場合には、ＣＤＬパラメータ設定部１０２から出力された基本画質調整データがパラメータ管理部１０４から取得され、表示装置で設定されたユーザデータを変換して得た基本画質調整データが外部パラメータ管理部３０２から取得されてもよい。そして、パラメータ管理部１０４、一時パラメータ管理部１０５、及び、外部パラメータ管理部３０２から取得された３つの基本画質調整データに基づいて、処理パラメータの値が設定されてもよい。
また、表示装置で設定されたユーザデータを考慮せずに、対象画像データ用のＣＤＬデータが決定される場合には、表示装置に対して画像処理の停止は指示されなくてもよい。そのような場合には、表示装置で設定されたユーザデータに基づく画像処理は、表示装置で行われてもよい。
【００９０】
＜その他の実施例＞
記憶装置に記録されたプログラムを読み込み実行することで前述した実施例の機能を実現するシステムや装置のコンピュータ（又はＣＰＵ、ＭＰＵ等のデバイス）によっても、本発明を実施することができる。また、例えば、記憶装置に記録されたプログラムを読み込み実行することで前述した実施例の機能を実現するシステムや装置のコンピュータによって実行されるステップからなる方法によっても、本発明を実施することができる。この目的のために、上記プログラムは、例えば、ネットワークを通じて、又は、上記記憶装置となり得る様々なタイプの記録媒体（つまり、非一時的にデータを保持するコンピュータ読取可能な記録媒体）から、上記コンピュータに提供される。したがって、上記コンピュータ（ＣＰＵ、ＭＰＵ等のデバイスを含む）、上記方法、上記プログラム（プログラムコード、プログラムプロダクトを含む）、上記プログラムを非一時的に保持するコンピュータ読取可能な記録媒体は、いずれも本発明の範疇に含まれる。
【符号の説明】
【００９１】
１０，２０  表示装置
３０  画像編集装置
１０１，２０１  決定モード設定部
１０２  ＣＤＬパラメータ設定部
１０３，２０３  ユーザパラメータ設定部
１０４，２０４  パラメータ管理部
【図１】
2015139044.tif 000003
【図２】
2015139044.tif 000004
【図３】
2015139044.tif 000005
【図４】
2015139044.tif 000006
【図５】
2015139044.tif 000007
【図６】
2015139044.tif 000008
【図７】
2015139044.tif 000009
【図８】
2015139044.tif 000010
【図９】
2015139044.tif 000011
【図１０】
2015139044.tif 000012
【図１１】
2015139044.tif 000013
【図１２】
2015139044.tif 000014